(57)【特許請求の範囲】
【請求項１】
斜め方向記録手段が磁気テープの走行方向に対して上記磁気テープを斜め方向に走査して上記磁気テープ上に上記磁気テープの長手方向に対して斜めにデータの記録をするための斜め方向記録領域と、
長手方向記録手段が上記磁気テープの走行方向に上記磁気テープを走査して上記磁気テープ上に上記磁気テープの長手方向に少なくとも上記磁気テープ上の絶対位置を記録するための長手方向記録領域とを有する記録形式により記録を行う磁気記録再生装置において、
少なくとも上記長手方向記録領域における記録終了位置を記憶する記録終了位置記憶手段と、
上記斜め方向記録手段による上記斜め方向記録領域およびまたは上記長手方向記録手段による上記長手方向記録領域における記録動作を制御する制御手段とを備え、
記録時に上記斜め方向記録手段による上記斜め方向記録領域への記録を終了する際に、上記磁気テープ上の絶対位置から上記長手方向記録領域における記録終了位置を減算して求められる長手方向記録長が所定記録長に満たないときに、上記長手方向記録長が上記所定記録長になるまで、上記制御手段により上記長手方向記録手段による上記長手方向記録領域のみを延長して記録するようにしたことを特徴とする磁気記録装置。
【請求項２】
請求項１記載の磁気記録装置において、
上記記録終了位置記憶手段は、上記斜め方向記録領域およびまたは上記長手方向記録領域における記録終了位置を記憶するものであり、
記録開始時には、すでに上記長手方向記録手段による上記長手方向記録領域のみが延長して記録されている記録終了位置までは、上記制御手段により、上記斜め方向記録手段による上記斜め方向記録領域への記録のみを行い、上記長手方向記録手段による上記長手方向記録領域の記録終了位置から上記長手方向記録手段による上記長手方向記録領域の記録を開始するようにしたことを特徴とする磁気記録装置。
【請求項３】
請求項１記載の磁気記録装置において、
上記長手方向記録領域は、上記磁気テープ上の絶対位置およびまたは上記磁気テープを走行させるための駆動手段の制御信号を記録するためのものであることを特徴とする磁気記録装置。
【発明の詳細な説明】
【０００１】
【産業上の利用分野】
本発明は、例えばデータレコーダーのつなぎ記録に使用して好適な磁気記録装置に関する。
【０００２】
【従来の技術】
従来、ビデオテープレコーダーまたはデータレコーダーにおいては、ヘリカルスキャンによりユーザデータの記録およびまたは再生をするようにしている。つまり、磁気ヘッドを所定の回転ドラム装置に搭載して回転させ、回転ドラム装置に巻き付けられながら走行する磁気テープの長手方向に対して、順次斜め方向に記録およびまたは再生するようにしている。
【０００３】
このようなヘリカルスキャン方式のテープレコーダーでは、テープフォーマットとして、ユーザデータを記録するヘリカルトラックの他に磁気テープの幅方向の上端側部および下端側部に長手方向のトラックが設けられている。
【０００４】
長手方向のトラックの一方は磁気テープの幅方向の上端側部に設けられたコントロールトラックであり、他方は磁気テープの幅方向の上端側部に設けられたタイムコードトラックである。コントロールトラックは、従動するピンチローラーとで磁気テープを狭持して走行させるためのキャプスタンをサーボコントロールするコントロール信号を記録するものである。また、タイムコードトラックは、磁気テープ上の絶対アドレスとしてのタイムコードを記録するものである。
【０００５】
コントロールトラックおよびタイムコードトラックは、いずれもテープレコーダーのテープコントロールには不可欠のものであり、これらのいずれかが記録不良あるいは読み取り不良となると、キャプスタンによる磁気テープの走行を正常に行うことができなくなり、さらにタイムコードによる磁気テープ上の絶対位置を知ることができなくなるので、テープレコーダーの正常な動作ができなくなる。
【０００６】
一方、磁気テープの長手方向の連続性を保って順次つなぎ記録するいわゆるアセンブル記録を行う場合には、そのつなぎ目としての記録の開始位置を示すインポイントでは、信号波形が必ずしも正確につながらず、長手トラックの信号が読みとり不良になる可能性が高い。このため、長手方向の信号処理回路はあたかも長手トラックの信号が連続となるように信号処理を緩慢にさせて、多少の信号の欠落を補うように設計上で工夫するようにしている。
【０００７】
ところで、従来、ビデオテープレコーダーまたはデータレコーダーでは、記録開始点としてのインポイントの指定が無いいわゆるクラッシュ記録、またはインポイントを指定するアセンブル記録をする際に、ヘリカルトラックおよび長手トラックの記録は同時に開始され、同時に終了するようにしていた。このため、ビデオテープレコーダーにおいては１フレーム、データレコーダーにおいては１ＩＤ等の最短の記録長による記録を連続すると、磁気テープ上の長手トラックの記録つなぎ目も同じ間隔で連続する。このような磁気テープを再生するときには、上述したように長手信号を補正する処理の能力を超えてしまうため、結果としてキャプスタンサーボのサーボロックができなくなり磁気テープの走行ができなくなるか、または磁気テープ上の絶対位置が検出できなくなりテープ位置を検出するサーチができなくなる。
【０００８】
特に、データレコーダーをテープストリーマーとして使用した場合には、記録しようとするファイルサイズによっては、１〜数ＩＤの記録が繰り返される可能性が高いため、上述した問題が発生しやすい。この問題を解決するため、意味を持たないゴミデータとしてのパディングデータをヘリカルに記録して、長手の記録長が一定以上になるようにする方法がある。しかし、パディングデータの分だけ磁気テープの使用効率が低下するという新たな欠点が発生する。なお、上述したデータレコーダーの場合、ホストコンピュータからのデータ転送において、数ＩＤ単位でしか記録できないという制約がある。ここで、ＩＤとはテープの頭出しに使用するデータの単位で、ビデオテープレコーダのタイムコードに相当する。１ＩＤ＝４トラック＝１２８キロバイトである。
【０００９】
【発明が解決しようとする課題】
このように、長手方向のトラックに設けられたコントロールトラックおよびタイムコードトラックは、いずれもテープレコーダーのテープコントロールには不可欠のものであり、動作の制約上の原因によりこれらのいずれかが記録不良あるいは読み取り不良となると、テープレコーダーの正常な動作ができなくなるという不都合があった。
【００１０】
また、意味を持たないゴミデータとしてのパディングデータをヘリカルに記録して、長手の記録長を一定以上にした場合には、パディングデータの分だけ磁気テープの使用効率が低下するという不都合があった。
【００１１】
本発明は、かかる点に鑑みたものであり、長手記録つなぎ目間隔の最低長を確保して長手方向トラックの読み取りが損なわれない磁気記録装置の提供を目的とする。
【００１２】
【課題を解決するための手段】
本発明の磁気記録装置は、図１から図９に示すように、斜め方向記録手段２０が磁気テープ４０の走行方向に対して磁気テープ４０を斜め方向に走査して磁気テープ４０上に磁気テープ４０の長手方向に対して斜めにデータの記録をするための斜め方向記録領域４１と、長手方向記録手段９、１６が磁気テープ４０の走行方向に磁気テープ４０を走査して磁気テープ４０上に磁気テープ４０の長手方向に少なくとも磁気テープ４０上の絶対位置を記録するための長手方向記録領域４２、４３とを有する記録形式により記録を行う磁気記録再生装置において、少なくとも長手方向記録領域４２、４３における記録終了位置を記憶する記録終了位置記憶手段２と、斜め方向記録手段２０による斜め方向記録領域４１およびまたは長手方向記録手段９、１６による長手方向記録領域４２、４３における記録動作を制御する制御手段１とを備え、記録時に斜め方向記録手段２０による斜め方向記録領域４１への記録を終了する際に、磁気テープ４０上の絶対位置から長手方向記録領域４２、４３における記録終了位置を減算して求められる長手方向記録長Ｘが所定記録長Ｚに満たないときに、長手方向記録長Ｘが所定記録長Ｚになるまで、制御手段１により長手方向記録手段９、１６による長手方向記録領域４２、４３のみを延長して記録するものである。
【００１３】
本発明の磁気記録装置は、図１から図９に示すように、上述において、記録終了位置記憶手段２、４は、斜め方向記録領域４１およびまたは長手方向記録領域４２、４３における記録終了位置を記憶するものであり、記録開始時には、すでに長手方向記録手段９、１６による長手方向記録領域４２、４３のみが延長して記録されている記録終了位置までは、制御手段１により、斜め方向記録手段２０による斜め方向記録領域４１への記録のみを行い、長手方向記録手段９、１６による長手方向記録領域４２、４３の記録終了位置から長手方向記録手段９、１６による長手方向記録領域４２、４３の記録を開始するものである。
【００１４】
本発明の磁気記録装置は、図１から図９に示すように、上述において、長手方向記録領域４２、４３は、磁気テープ４０上の絶対位置およびまたは磁気テープを走行させるための駆動手段の制御信号を記録するためのものである。
【００１５】
【作用】
本発明によれば、記録時に斜め方向記録手段２０による斜め方向記録領域４１への記録を終了する際に、磁気テープ４０上の絶対位置から長手方向記録領域４２、４３における記録終了位置を減算して求められる長手方向記録長Ｘが所定記録長Ｚに満たないときに、長手方向記録長Ｘが所定記録長Ｚになるまで、制御手段１により長手方向記録手段９、１６による長手方向記録領域４２、４３のみを延長して記録するので、長手方向記録領域４２、４３のつなぎ目間隔の最低長Ｚを確保することができ、長手方向記録領域４２、４３における読み取りが損なわれず、磁気記録装置の動作を確実にすることができる。
【００１６】
また、本発明によれば、記録開始時には、すでに長手方向記録手段９、１６による長手方向記録領域４２、４３のみが延長して記録されている記録終了位置までは、制御手段１により、斜め方向記録手段２０による斜め方向記録領域４１への記録のみを行い、長手方向記録手段９、１６による長手方向記録領域４２、４３の記録終了位置から長手方向記録手段９、１６による長手方向記録領域４２、４３の記録を開始するので、磁気テープ４０の使用効率を向上させることができる。
【００１７】
また、本発明によれば、長手方向記録領域４２、４３は、磁気テープ４０上の絶対位置およびまたは磁気テープ４０を走行させるための駆動手段の制御信号を記録するので、磁気テープ４０の位置検出をするサーチの動作が確実になり、さらに磁気テープ４０の走行の動作を確実にすることができる。
【００１８】
【実施例】
図１から図９に、この発明による磁気記録装置の一実施例の構成および動作を示す。この発明の実施例は、磁気テープにつなぎ記録する際に、長手方向トラックのつなぎ目間隔の最低長を確保し、磁気記録装置の動作を確実にするものである。
【００１９】
まず、この発明の実施例を説明するに先立って、テープ走行機構およびテープフォーマットについて説明する。図２は、この発明による磁気記録装置の一実施例に用いるテープレコーダーのテープ走行機構を示す図である。小型カセット２２ａまたは大型カセット２２ｂをテープレコーダーに装着すると、円盤状のテープローディングユニットが回転することにより、テープローディングユニット上に設けられたテープガイド２５ａ，２５ｂ，２５ｃ，２５ｄ，２５ｅ，２５ｆが磁気テープ２３をカセット内から引き出す。カセット内から引き出された磁気テープ２３は回転ドラム２１、コントロールおよびタイムコードヘッド２８、消去ヘッド３０ａ，３０ｂに摺接するようにテープガイド２６ａ，２６ｂ，２６ｃ，２６ｄ，２７ａ，２７ｂにより支持されることによりテープローディングが完了する。そして、図示しない駆動用モータに連動して回転するキャプスタン２９が、従動する弾性材からなるピンチローラー２４との間に磁気テープ２３を挟むようにして磁気テープ２３を走行させる。
【００２０】
テープガイド２７ａ，２７ｂは、それぞれ図示しない駆動用のソレノイド等により、一点を中心に弾性的に回動するように構成されていて、磁気テープ２３を走行させる際に、磁気テープに所定のテンションを付与するようにしている。このキャプスタン２９の駆動用のモータは所定のキャプスタンサーボにより制御されている。テープガイド２７ａ，２７ｂの駆動用のソレノイドとは、所定のテンションサーボにより制御されている。このキャプスタンサーボおよびテンションサーボ等のサーボ系のためのコントロール信号は、磁気テープの所定の長手方向のトラックに記録される。また、磁気テープ上の絶対位置を示すタイムコードは、磁気テープの所定の長手方向のトラックに記録される。
【００２１】
図３は、この発明による磁気記録装置の一実施例の回転ドラムを示す図である。回転ドラム３１は、円盤状の周側端部に、記録ヘッド３２ａ，３２ｂおよび記録ヘッド３２ｃ，３２ｄが２チャンネルをペアとして２つずつ１８０度対向して設けられている。また、再生ヘッド３３ａ，３３ｂおよび記録ヘッド３３ｃ，３３ｄが２チャンネルをペアとして２つずつ１８０度対向して設けられている。さらに、消去ヘッド３４ａおよび３４ｂが１８０度対向して設けられている。
【００２２】
図４は、この発明による磁気記録装置の一実施例のテープフォーマットを示す図である。磁気テープ４０上には、テープ走行方向に対して斜め方向に記録されるヘリカルトラック４１にはユーザデータが記録される。磁気テープ４０の上側端部の長手方向に記録されるコントロールトラック４２にはキャプスタンサーボのコントロール信号が記録されている。磁気テープ４０の下側端部の長手方向に記録されるタイムコードトラック４３には磁気テープ上の絶対位置を示すタイムコードが記録されている。
【００２３】
次に、このようなテープ走行機構およびテープフォーマットを前提としてこの発明の実施例の構成および動作を説明する。図１は、この発明による磁気記録装置の一実施例の構成を示すブロック図である。図１において、コントローラ１は、ＣＰＵとＲＯＭおよびＲＡＭからなり、特に、長手アウトポイントメモリ２、長手インポイントメモリ３、ヘリカルアウトポイントメモリ４、ヘリカルインポイントメモリ５を有している。
【００２４】
長手アウトポイントメモリ２は長手方向トラックの記録終了位置を記憶するメモリであり、長手インポイントメモリ３は長手方向トラックの記録開始位置を記憶するメモリである。長手方向トラックは、図４において示したように、コントロールトラック４２およびタイムコードトラック４３からなる。ヘリカルアウトポイントメモリ４は、ヘリカルトラック４１の記録終了位置を記憶するメモリであり、ヘリカルインポイントメモリ５は、ヘリカルトラック４１の記録開始位置を記憶するメモリである。このように、コントローラ１は、長手方向トラックの記録開始点を示すインポイントを記憶する長手インポイントメモリ３とヘリカルトラックの記録開始点を示すインポイントを記憶するヘリカルインポイントメモリ５を独立に有している。同様に、長手方向トラックの記録終了点を示すアウトポイントを記憶する長手アウトポイントメモリ２とヘリカルトラックの記録終了点を示すアウトポイントを記憶するヘリカルアウトポイントメモリ４を独立に有している。
【００２５】
タイムコード記録時においては、コントローラ１の長手アウトポイントメモリ２または長手インポイントメモリ３から長手アウトポイントまたは長手インポイントがタイムコード発生器６に供給される。タイムコード発生器６はクロックを変調した所定のタイムコードを記録アンプ７に供給する。記録アンプ７はタイムコードを記録のために増幅してスイッチ８を介してタイムコードヘッド９に供給する。このようにしてタイムコードがタイムコードトラックに記録される。このとき、記録アンプ７およびスイッチ８には、コントローラ１から記録イネーブル信号および記録スイッチコントロール信号が供給されている。
【００２６】
タイムコード読み取り時においては、タイムコードヘッド９によりタイムコードトラックから読み取られたタイムコード信号は、スイッチ８を介して再生アンプ１０に供給される。スイッチ８にはコントローラ１から再生スイッチコントロール信号が供給されている。再生アンプ１０はタイムコード信号を再生のために増幅してタイムコード読み取り器１１に供給する。タイムコード読み取り器１１はタイムコード信号からタイムコードを復調する。タイムコード読み取り器１１で読み取られたタイムコードはコントローラ１の長手アウトポイントメモリ２または長手インポイントメモリ３に供給される。長手アウトポイントメモリ２または長手インポイントメモリ３では長手アウトポイントまたは長手インポイントを記録する。
【００２７】
コントロール信号記録時においては、キャプスタンサーボまたはテンションサーボ等のサーボコントロール部１２からのモータ回転数またはテンション等の検出信号は、コントロール信号発生器１３に供給される。コントロール信号発生器１３は検出信号から所定のコントロール信号を発生させて記録アンプ１４に供給する。記録アンプ１４はコントロール信号を記録のために増幅してスイッチ１５を介してコントロールヘッド１６に供給する。このようしてコントロール信号はコントロールトラックに記録される。このとき、記録アンプ１４およびスイッチ１５には、コントローラ１から記録イネーブル信号および記録スイッチコントロール信号が供給されている。
【００２８】
コントロール信号読み取り時においては、コントロールヘッド１６によりコントロールトラックから読み取られたコントロール信号は、スイッチ１５を介して再生アンプ１７に供給される。スイッチ１５にはコントローラ１から再生スイッチコントロール信号が供給されている。再生アンプ１７はタイムコード信号を再生のために増幅してコントロール信号検出器１８に供給する。コントロール信号検出器１８はコントロール信号をサーボコントロール部１２に供給する。
【００２９】
ユーザデータの記録時においては、図示しないホストコンピュータから供給される記録データは記録アンプ１９に供給される。記録アンプ１９は記録データを記録のために増幅して記録ヘッド２０に供給する。このようにして記録データはヘリカルトラックに記録される。記録ヘッド２０は、図２および図３において示したように回転ドラムに搭載されている。なお、ユーザデータの再生系は省略する。
【００３０】
つぎに、この発明の実施例の動作を説明する。この発明の実施例の動作は、記録終了時の処理と記録開始時の処理の２つに分かれている。何も記録されていないバージンテープの状態からアセンブル記録によりトラックの連続性を保った記録を行うには、まず最初に記録開始点としてのインポイントの指定が無いいわゆるクラッシュ記録を行い、２度目の記録からはインポイントを指定したアセンブル記録を行う。このクラッシュ記録開始の際には従来の記録開始と同様にヘリカルトラックと長手トラックの記録を同じ位置から開始する。この場合、ヘリカルインポイントおよび長手インポイントのタイムコードの値を、それぞれヘリカルインポイントメモリおよび長手インポイントメモリに記憶しておく。
【００３１】
図５は、この発明による磁気記録装置の一実施例の記録終了時の動作を示すフローチャートである。図５において、まずステップＳ１でコントローラ１へ記録終了コマンドを供給するにより、ステップＳ２でヘリカルデータの記録アンプの記録イネーブル信号をコントロールしてヘリカルトラックの記録を終了させる。ステップＳ３でヘリカルトラックのアウトポイントのタイムコードの値をヘリカルアウトポイントメモリに記憶する。アウトポイントの値は次の記録のインポイントの関係から実際の記録終了位置のタイムコードプラス１とする。
【００３２】
ステップＳ４で、次のつなぎ記録開始時に使用するため、ヘリカルインポイントメモリにヘリカルアウトポイントメモリの値をセットする。ステップＳ５で、長手の記録を行っていないときには、ステップＳ１０で、テープ停止コントロールを行って終了する。ステップＳ５で、長手の記録を行っているときには、ステップＳ６で、そのときのタイムコード発生器（ＴＣＧ）のタイムコードの値から長手インポイントの値をマイナスして、長手の記録長Ｘを求める。ステップＳ６で、長手の記録長Ｘを長手信号処理により補正が可能な最小つなぎ目間隔Ｚと比較し、長手記録長Ｘが最小つなぎ目間隔Ｚ以上になるまで長手記録を続行する。
【００３３】
ステップＳ６で、すでに、長手記録長Ｘが最小つなぎ目間隔Ｚ以上のとき、または長手記録を継続して長手記録長Ｘが最小つなぎ目間隔Ｚになったときには、ステップＳ７で、記録アンプ７および記録アンプ１４の記録イネーブル信号をコントロールして長手記録を終了する。ステップＳ８で、長手アウトポイントメモリに長手アウトポイントのタイムコードの値を記憶する。ステップＳ９で、長手インポイントメモリに長手アウトポイントメモリのタイムコードの値をセットする。ステップＳ１０で、テープ停止のコントロールを行って終了する。このような処理をすることにより、長手トラックの記録長は必ず最小つなぎ目間隔Ｚ以上となる。
【００３４】
図６は、この発明による磁気記録装置の一実施例の記録開始時の動作を示すフローチャートである。図６に示すフローチャートは、図５において示したフローチャートにおけるヘリカルアウトポイントおよび長手アウトポイントに対して連続性を保って記録するときの動作である。図６において、ステップＳ２０でコントローラ１へ記録開始コマンドを供給するにより、ステップＳ２１でテープ走行を開始させる。
【００３５】
ステップＳ２２で、タイムコード読み取り器のタイムコードの値、すなわち現在のテープ位置をヘリカルインポイントの値と比較する。ステップＳ２２で、現在のテープ位置がヘリカルインポイントの値になったら、ステップＳ２３で、コントローラ１からヘリカルの記録アンプ１９に記録イネーブル信号を供給して記録を開始する。
【００３６】
ステップＳ２４で、コントローラ１が記録終了コマンドを受け取ったら、ステップＳ２５で記録終了処理をする。ステップＳ２４で、コントローラ１が記録終了コマンドを受け取らないときには、ステップＳ２６で、タイムコード読み取り器のタイムコードの値、すなわち現在のテープ位置を長手インポイントの値と比較する。ステップＳ２６で、現在のテープ位置が長手インポイントの値にならなかったときにはステップＳ２４に戻る。ステップＳ２６で、現在のテープ位置が長手インポイントの値になったときは、ステップＳ２７で、コントローラ１から記録アンプ７および記録アンプ１４の記録イネーブル信号を供給して長手の記録を開始して終了するする。
【００３７】
次に、図７ＡからＣに、磁気テープ上における動作を説明する。図７Ａは、この発明による磁気記録装置の一実施例の記録長が最小つなぎ目間隔Ｚフレーム以上のときの動作を説明する図である。図７Ａにおいて、磁気テープ７０には、ヘリカルトラック７４、タイムコードトラック７３およびコントロールトラック７５が設けられている。ヘリカルインポイントおよび長手インポイント７１は同じであり、ヘリカルアウトポイントおよび長手アウトポイント７２は同じである。この場合には、ヘリカルインポイントおよび長手インポイント７１からヘリカルアウトポイントおよび長手アウトポイント７２までの記録長が最小つなぎ目間隔Ｚフレーム以上であるので記録の延長は行わない。
【００３８】
図７Ｂは、この発明による磁気記録装置の一実施例の記録長が最小つなぎ目間隔Ｚフレーム未満のときの動作を説明する図である。図７Ｂにおいて、ヘリカルインポイントおよび長手インポイント８１は同じであるが、ヘリカルインポイント８１からヘリカルアウトポイント８２までの記録長が最小つなぎ目間隔Ｚフレーム未満のとき、長手アウトポイント８３のみを最小つなぎ目間隔Ｚフレームまでアセンブル記録により延長して記録するようにする。
【００３９】
図７Ｃは、この発明による磁気記録装置の一実施例のヘリカルインポイント、ヘリカルアウトポイント、長手インポイント、長手アウトポイントのすべてが異なるときの動作を説明する図である。図７Ｃにおいて、ヘリカルインポイント９１および長手インポイント９２が異なり、ヘリカルアウトポイント９３および長手アウトポイント９４が異なるときに、ヘリカルインポイント９１からヘリカルアウトポイント９３までの記録長が最小つなぎ目間隔Ｚフレーム未満であるかいなかにかかわらず、長手インポイント９２から長手アウトポイント９４までの記録長が最小つなぎ目間隔Ｚフレーム未満のとき、長手アウトポイント９４のみを最小つなぎ目間隔Ｚフレームまでアセンブル記録により延長して記録するようにする。なお、最小つなぎ目間隔Ｚフレームは、２９ＩＤ程度あれば十分であるが、７〜１０ＩＤ程度でも良い。
【００４０】
上例によれば、記録時に斜め方向記録手段としての記録ヘッド２０による斜め方向記録領域としてのヘリカルトラック４１への記録を終了する際に、磁気テープ４０上の絶対位置から長手方向記録領域としてのコントロールトラック４２、タイムコードトラック４３における記録終了位置を減算して求められる長手方向記録長Ｘが所定記録長Ｚに満たないときに、長手方向記録長Ｘが所定記録長Ｚになるまで、制御手段としてのコントローラ１により長手方向記録手段としてのタイムコードヘッド９、コントロールヘッド１６による長手方向記録領域としてのコントロールトラック４２、タイムコードトラック４３のみを延長して記録するので、長手方向記録領域としてのコントロールトラック４２、タイムコードトラック４３のつなぎ目間隔の最低長Ｚを確保することができ、長手方向記録領域としてのコントロールトラック４２、タイムコードトラック４３における読み取りが損なわれず、磁気記録装置の動作を確実にすることができる。
【００４１】
また、本発明によれば、記録開始時には、すでに長手方向記録手段としてのタイムコードヘッド９、コントロールヘッド１６による長手方向記録領域としてのコントロールトラック４２、タイムコードトラック４３のみが延長して記録されている記録終了位置までは、制御手段としてのコントローラ１により、斜め方向記録手段としての記録ヘッド２０による斜め方向記録領域としてのヘリカルトラック４１への記録のみを行い、長手方向記録手段としてのタイムコードヘッド９、コントロールヘッド１６による長手方向記録領域としてのコントロールトラック４２、タイムコードトラック４３の記録終了位置から長手方向記録手段９、１６による長手方向記録領域としてのコントロールトラック４２、タイムコードトラック４３の記録を開始するので、磁気テープ４０の使用効率を向上させることができる。
【００４２】
また、本発明によれば、長手方向記録領域としてのコントロールトラック４２、タイムコードトラック４３は、磁気テープ４０上の絶対位置およびまたは磁気テープ４０を走行させるための駆動手段の制御信号を記録するので、磁気テープ４０の位置検出をするサーチの動作が確実になり、さらに磁気テープ４０の走行の動作を確実にすることができる。
【００４３】
また、上例によれば、ビデオテープレコーダー、データレコーダーなどのいずれのヘリカルスキャン型のテープレコーダーにおいても、適用することができる。この場合、長手のつなぎ目がある一定以上の間隔にすることができるので、タイムコードの読み取り不良や、コントロール信号の検出不能による異常動作を防止することができる。特に、データストリーマにおけるアセンブル記録の場合、１ＩＤ単位のデータ記録が可能になるためパディングデータの記録などが不要になり、テープの使用効率を向上させることができる。
【００４４】
【発明の効果】
本発明によれば、記録時に斜め方向記録手段による斜め方向記録領域への記録を終了する際に、磁気テープ上の絶対位置から長手方向記録領域における記録終了位置を減算して求められる長手方向記録長が所定記録長に満たないときに、長手方向記録長が所定記録長になるまで、制御手段により長手方向記録手段による長手方向記録領域のみを延長して記録するので、長手方向記録領域のつなぎ目間隔の最低長を確保することができ、長手方向記録領域における読み取りが損なわれず、磁気記録装置の動作を確実にすることができる。
【００４５】
また、本発明によれば、記録開始時には、すでに長手方向記録手段による長手方向記録領域のみが延長して記録されている記録終了位置までは、制御手段により、斜め方向記録手段による斜め方向記録領域への記録のみを行い、長手方向記録手段による長手方向記録領域の記録終了位置から長手方向記録手段による長手方向記録領域の記録を開始するので、磁気テープの使用効率を向上させることができる。
【００４６】
また、本発明によれば、長手方向記録領域は、磁気テープ上の絶対位置およびまたは磁気テープを走行させるための駆動手段の制御信号を記録するので、磁気テープの位置検出をするサーチの動作が確実になり、さらに磁気テープの走行の動作を確実にすることができる。
【図面の簡単な説明】
【図１】この発明の磁気記録装置の一実施例の構成を示すブロック図である。
【図２】この発明の磁気記録装置の一実施例に用いるテープレコーダーのテープ走行機構を示す図である。
【図３】この発明の磁気記録装置の一実施例の回転ドラムを示す図である。
【図４】この発明の磁気記録装置の一実施例のテープフォーマットを示す図である。
【図５】この発明の磁気記録装置の一実施例の記録終了時の動作を示すフローチャートである。
【図６】この発明の磁気記録装置の一実施例の記録開始時の動作を示すフローチャートである。
【図７】この発明の磁気記録装置の一実施例の動作を示す図であり、図７Ａは記録長がＺフレーム以上の場合、図７Ｂは記録長がＺフレーム未満の場合、図７Ｃはヘリカルインポイント、ヘリカルアウトポイント、長手インポイント、長手アウトポイントのすべてが異なる場合を示す図である。
【符号の説明】
１  コントローラ
２  長手アウトポイントメモリ
３  長手インポイントメモリ
４  ヘリカルアウトポイントメモリ
５  ヘリカルインポイントメモリ
６  タイムコード発生器
７  記録アンプ
８  スイッチ
９  タイムコードヘッド
１０  再生アンプ
１１  タイムコード読み取り器
１２  サーボコントロール部
１３  コントロール信号発生器
１４  記録アンプ
１５  スイッチ
１６  コントロールヘッド
１７  再生アンプ
１８  コントロール信号検出器
１９  記録アンプ
２０  記録ヘッド
２１  回転ドラム
２２ａ  カセット
２２ｂ  カセット
２３  磁気テープ
２４  ピンチローラ
２５ａ  テープガイド
２５ｂ  テープガイド
２５ｃ  テープガイド
２５ｄ  テープガイド
２５ｅ  テープガイド
２５ｆ  テープガイド
２６ａ  テープガイド
２６ｂ  テープガイド
２６ｃ  テープガイド
２６ｄ  テープガイド
２７ａ  テープガイド
２７ｂ  テープガイド
２８  コントロールヘッドおよびタイムコードヘッド
２９  キャプスタン
３０ａ  消去ヘッド
３０ｂ  消去ヘッド
３１  回転ドラム
３２ａ  記録ヘッド
３２ｂ  記録ヘッド
３２ｃ  記録ヘッド
３２ｄ  記録ヘッド
３３ａ  再生ヘッド
３３ｂ  再生ヘッド
３３ｃ  再生ヘッド
３３ｄ  再生ヘッド
３４ａ  消去ヘッド
３４ｂ  消去ヘッド
４０  磁気テープ
４１  ヘリカルトラック
４２  コントロールトラック
４３  タイムコードトラック
７０  磁気テープ
７１  ヘリカルインポイント、長手インポイント
７２  ヘリカルアウトポイント、長手アウトポイント
８０  磁気テープ
８１  ヘリカルインポイント、長手インポイント
８２  ヘリカルアウトポイント
８３  長手アウトポイント
９０  磁気テープ
９１  ヘリカルインポイント
９２  長手インポイント
９３  ヘリカルアウトポイント
９４  長手アウトポイント
【図１】
0003541435.tif 000002
【図２】
0003541435.tif 000003
【図３】
0003541435.tif 000004
【図４】
0003541435.tif 000005
【図５】
0003541435.tif 000006
【図６】
0003541435.tif 000007
【図７】
0003541435.tif 000008